【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
体腔内の生体情報を取得する生体情報取得手段を有する装置本体、前記装置本体の少なくとも一部に装着され弾性的に拡張可能な弾性膜からなるバルーン、及び、前記バルーンの外面に装着されて体腔内の生体組織に対して電気刺激を与える少なくとも１つの電極が設けられ、前記体腔内に挿入される体腔内挿入部と、
前記電極に対して電力を供給する電源と、
少なくとも一部が可撓性を有し、前記電源と前記電極とを電気的及び機械的に接続する電線と、
が備えられていることを特徴とする体内医療装置。
【請求項２】
前記電源が、前記体腔内挿入部と一体に設けられていることを特徴とする請求項１に記載の体内医療装置。
【請求項３】
前記電源が、前記体腔内挿入部以外に設けられ、これら電源と体腔内挿入部側とは着脱可能とされていることを特徴とする請求項１に記載の体内医療装置。
【請求項４】
前記バルーンを拡張させる拡張手段が、前記体腔内挿入部内に設けられていることを特徴とする請求項１〜３の何れかに記載の体内医療装置。
【請求項５】
前記バルーンを拡張させる拡張手段が、前記体腔内挿入部以外に設けられ、前記体腔内挿入部と前記拡張手段との間を着脱可能とされていることを特徴とする請求項１〜３の何れかに記載の体内医療装置。
【請求項６】
前記バルーンが、前記装置本体に対して着脱可能とされていることを特徴とする請求項１〜５の何れかに記載の体内医療装置。
【請求項７】
前記バルーンには、該バルーンにおける他の部分よりも硬い硬質部が設けられていることを特徴とする請求項１〜６の何れかに記載の体内医療装置。
【請求項８】
前記硬質部が、前記バルーンの他の部分よりも厚肉とされた厚肉部からなっていて、該バルーンの前後両端側に配置されていることを特徴とする請求項７に記載の体内医療装置。
【請求項９】
前記硬質部が、前記バルーンの他の部分よりも厚肉とされた厚肉部からなっていて、該バルーンの上下に配置された前記電極の周縁部近傍と、該上下に配置された前記電極から所定長さ離間する中間部にそれぞれ配置されていることを特徴とする請求項７に記載の体内医療装置。
【請求項１０】
前記硬質部が、前記バルーンの他の部分よりも厚肉とされた厚肉部からなっていて、該バルーンの外周に螺旋状に配置されていることを特徴とする請求項７に記載の体内医療装置。
【請求項１１】
前記硬質部が、前記バルーンの他の部分よりも厚肉とされた厚肉部からなっていて、該バルーンの後方側外周に複数配置されていることを特徴とする請求項７に記載の体内医療装置。
【手続補正２】
【補正対象書類名】明細書
【補正対象項目名】０００６
【補正方法】変更
【補正の内容】
【０００６】
請求項１に記載の発明は、体腔内の生体情報を取得する生体情報取得手段を有する装置本体、前記装置本体の少なくとも一部に装着され弾性的に拡張可能な弾性膜からなるバルーン、及び、前記バルーンの外面に装着されて体腔内の生体組織に対して電気刺激を与える少なくとも１つの電極が設けられ、前記体腔内に挿入される体腔内挿入部と、前記電極に対して電力を供給する電源と、少なくとも一部が可撓性を有し、前記電源と前記電極とを電気的及び機械的に接続する電線と、が備えられていることを特徴とする。
【手続補正３】
【補正対象書類名】明細書
【補正対象項目名】０００７
【補正方法】変更
【補正の内容】
【０００７】
このような構成としているので、所望とした部位でバルーンを拡張させることにより、外径が異なる消化管等の管腔内壁に対して電極を的確に当接させることができる。そして、電源と電極とを接続する電線が可撓性を有しているので、バルーンの拡張・収縮の両方に対応することができるとともに、断線等の不具合が殆ど発生することがなく、安定した電気刺激を与えることができる。
また、弾性拡張部をバルーンとしているので、弾性拡張部の拡張・収縮を容易に行い得るとともに、収縮時には、装置本体の外表面等にほぼ密着させて外径を小さくすることも、容易にできる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２に記載の発明は、請求項１に記載の体内医療装置であって、前記電源が、前記体腔内挿入部と一体に設けられていることを特徴とする。
【手続補正７】
【補正対象書類名】明細書
【補正対象項目名】００１２
【補正方法】変更
【補正の内容】
【００１２】
請求項３に記載の発明は、請求項１に記載の体内医療装置であって、前記電源が、前記体腔内挿入部以外に設けられ、これら電源と体腔内挿入部側とは着脱可能とされていることを特徴とする。
【手続補正８】
【補正対象書類名】明細書
【補正対象項目名】００１４
【補正方法】変更
【補正の内容】
【００１４】
請求項４に記載の発明は、請求項１〜３の何れかに記載の体内医療装置であって、前記バルーンを拡張させる拡張手段が、前記体腔内挿入部内に設けられていることを特徴とする。
【手続補正９】
【補正対象書類名】明細書
【補正対象項目名】００１５
【補正方法】変更
【補正の内容】
【００１５】
このように、拡張手段を体腔内挿入部内に設けるようにしているので、遠隔操作等により体腔内挿入部を独立して動作させて、バルーンを拡張させることができる。
【手続補正１０】
【補正対象書類名】明細書
【補正対象項目名】００１６
【補正方法】変更
【補正の内容】
【００１６】
請求項５に記載の発明は、請求項１〜３の何れかに記載の体内医療装置であって、前記バルーンを拡張させる拡張手段が、前記体腔内挿入部以外に設けられ、前記体腔内挿入部と前記拡張手段との間を着脱可能とされていることを特徴とする。
【手続補正１１】
【補正対象書類名】明細書
【補正対象項目名】００１８
【補正方法】変更
【補正の内容】
【００１８】
請求項６に記載の発明は、請求項１〜５の何れかに記載の体内医療装置であって、前記バルーンが、前記装置本体に対して着脱可能とされていることを特徴とする。
【手続補正１２】
【補正対象書類名】明細書
【補正対象項目名】００１９
【補正方法】変更
【補正の内容】
【００１９】
このように、装置本体とバルーンとを着脱可能としているので、体内医療装置の使用態様に応じてバルーンを最適なものに付け替えることが、容易にできる。そして、例えば、比較的高価な装置本体は繰り返し使用して、比較的安価なバルーンは使用毎に使い捨てることも、容易にできる。
【手続補正１３】
【補正対象書類名】明細書
【補正対象項目名】００２０
【補正方法】変更
【補正の内容】
【００２０】
請求項７に記載の発明は、請求項１〜６の何れかに記載の体内医療装置であって、前記バルーンには、該バルーンにおける他の部分よりも硬い硬質部が設けられていることを特徴とする。
【手続補正１４】
【補正対象書類名】明細書
【補正対象項目名】００２１
【補正方法】変更
【補正の内容】
【００２１】
このような硬質部をバルーンに設けているので、電極を金属等の殆ど伸縮しない材料により構成した場合に、この電極を硬質部に装着することによって、電極とバルーンとの互いの伸縮率の差を小さくすることができる。そのため、電極のバルーンへの装着・保持をより好適に行うことができる。
請求項８に記載の発明は、請求項７に記載の体内医療装置であって、前記硬質部が、前記バルーンの他の部分よりも厚肉とされた厚肉部からなっていて、該バルーンの前後両端側に配置されていることを特徴とする。
請求項９に記載の発明は、請求項７に記載の体内医療装置であって、前記硬質部が、前記バルーンの他の部分よりも厚肉とされた厚肉部からなっていて、該バルーンの上下に配置された前記電極の周縁部近傍と、該上下に配置された前記電極から所定長さ離間する中間部にそれぞれ配置されていることを特徴とする。
請求項１０に記載の発明は、請求項７に記載の体内医療装置であって、前記硬質部が、前記バルーンの他の部分よりも厚肉とされた厚肉部からなっていて、該バルーンの外周に螺旋状に配置されていることを特徴とする。
請求項１１に記載の発明は、前記硬質部が、前記バルーンの他の部分よりも厚肉とされた厚肉部からなっていて、該バルーンの後方側外周に複数配置されていることを特徴とする。